(57)【要約】【課題】支持杆の下端部の取付強度を大とし、支持杆に、オプション部材を安定よく取り付けうるようにした支持杆の取付構造を提供する。【解決手段】支持杆７の下端部に、支持杆７の下端より下方に延出し、かつ前後寸法を支持杆７の前後寸法よりも大とした下向取付片１７bを備える支持杆取付部材１７を固定し、下向取付片１７bの前後両端部の上端を、前後の天板５の対向部の下面に当接または近接させた状態で、下向取付片１７bを、脚体２の内側面に固定する。【選択図】  図５
2010187882.tif 000002
【特許請求の範囲】
【請求項１】
テーブル等の天板を支持する左右の脚体に、オプション部材取付け用の支持杆を取付ける取付構造において、
前記支持杆の下端部に、支持杆の下端より下方に延出し、かつ前後寸法を支持杆の前後寸法よりも大とした下向取付片を備える支持杆取付部材を固定し、前記下向取付片における少なくとも前端部の上端を、前記天板の後端部の下面に当接または近接させた状態で、前記下向取付片を前記脚体の内側面に固定したことを特徴とするテーブル等における支持杆の取付構造。
【請求項２】
左右の脚体に、前後２枚の天板を、支持杆を前後より挟むように、かつ互いの対向面に配線空間が形成されるようにして取付け、前後寸法を前記配線空間の前後寸法よりも大とした下向取付片における前後両端部の上端を、前記前後の天板における対向部の下面に当接または近接させてなる請求項１記載のテーブル等における支持杆の取付構造。
【請求項３】
下向取付片の下端に、内向きに延出する内向取付片を連設し、この内向取付片を、脚体の内側面に設けた内向部材の上面に固定してなる請求項１または２記載のテーブル等における支持杆の取付構造。
【請求項４】
左右の脚体の対向面間に、前後１対のカバー板を備える配線ダクトを横架し、両カバー板の側端部の対向面と脚体の内側面とに結合されたスペーサ部材の内向水平片を内向部材とし、かつ前記配線ダクト内において、下向取付片を脚体の内側面に固定してなる請求項３記載のテーブル等における支持杆の取付構造。
【請求項５】
下向取付片の上端に、外向水平片を連設し、この外向水平片を支持杆の下面に固定することにより、支持杆を、前記外向水平片を介して脚体の上面に立設してなる請求項１〜４のいずれかに記載のテーブル等における支持杆の取付構造。
【発明の詳細な説明】
【技術分野】
【０００１】
本発明は、テーブル等における天板を支持する脚体の上方に、天板の上方において使用されるオプション部材を取付けるための支持杆を取付ける取付構造に関する。
【背景技術】
【０００２】
このような支持杆の従来の取付構造としては、支持杆の下端部を、背中合わせに配置した前後の配線ボックスにより挟み込んで取付けたもの(例えば特許文献１参照)、支持杆の下端を、床面に設置された配線コア体における凹部の内底面に取付けたもの(例えば特許文献２参照)、及び脚体上部の前後方向を向く横杆の内側面にブラケットを取付け、このブラケットに、支持杆の下端部をねじ止めしたもの(例えば特許文献３参照)などがある。
【先行技術文献】
【特許文献】
【０００３】
【特許文献１】特開２００２−６５３６７号公報
【特許文献２】特開２００５−１０２７３７号公報(図４２、図４４)
【特許文献３】特開２００５−２５３７４３号公報
【発明の概要】
【発明が解決しようとする課題】
【０００４】
上記特許文献１及び２に記載されている支持杆の取付構造では、支持杆の下端部の取付強度が小さく、前後左右方向にぐらつく恐れがあるので、支持杆の上部に、例えばキャビネット等の重量のあるオプション部材を取付けるのには適しない。
特許文献３に記載のものにおいては、支持杆の下端部が、上下複数のねじによりブラケットに固定されているので、支持杆の下端部の取付強度は比較的大きい。
しかし、支持杆の下端部は、ブラケットを介して脚体の側面により支持され、支持杆に加わる垂直荷重を脚体の上面により直接受支するものではないので、重量のあるオプション部材を支持杆に取付けようとすると、ブラケットの板厚を大として剛性を高めたり、固定ねじの数量を増やしたりする必要があり、コスト高となる。
【０００５】
本発明は、上記問題点に鑑みてなされたもので、支持杆の下端部の取付強度を大とし、かつ支持杆に加わる垂直荷重を、脚体の上面により直接受支しうるようにすることにより、支持杆に、オプション部材を安定よく取り付けうるようにした、テーブル等における支持杆の取付構造を提供することを目的としている。
【課題を解決するための手段】
【０００６】
本発明によると、上記課題は、次の各項のようにして解決される。
（１）テーブル等の天板を支持する左右の脚体に、オプション部材取付け用の支持杆を取付ける取付構造において、前記支持杆の下端部に、支持杆の下端より下方に延出し、かつ前後寸法を支持杆の前後寸法よりも大とした下向取付片を備える支持杆取付部材を固定し、前記下向取付片における少なくとも前端部の上端を、前記天板の後端部の下面に当接または近接させた状態で、前記下向取付片を前記脚体の内側面に固定する。
【０００７】
このような構成とすると、支持杆の下端部に固定した支持杆取付部材における下向取付片の少なくとも前端部の上端を、天板の後端部の下面に当接または近接させた状態で、下向取付片を脚体の内側面に固定しているので、支持杆の下端部の取付強度が大きく、かつ支持杆が後方にぐらつくのが防止される。
従って、支持杆に、オプション部材を安定よく取り付けることができる。
【０００８】
（２）上記(１)項において、左右の脚体に、前後２枚の天板を、支持杆を前後より挟むように、かつ互いの対向面に配線空間が形成されるようにして取付け、前後寸法を前記配線空間の前後寸法よりも大とした下向取付片における前後両端部の上端を、前記前後の天板における対向部の下面に当接または近接させる。
【０００９】
このような構成とすると、下向取付片の前後両端部の上端を、前後の天板の下面に当接または近接させているので、支持杆が前後両方向にぐらつくのが防止される。
また、万一、固定用のねじが緩むなどしても、支持杆が前後方向に大きくぐらつく恐れは小さい。
【００１０】
（３）上記(１)または(２)項において、下向取付片の下端に、内向きに延出する内向取付片を連設し、この内向取付片を、脚体の内側面に設けた内向部材の上面に固定する。
【００１１】
このような構成とすると、下向取付片の下端に連設した内向取付片も、脚体の内側面に設けた内向部材の上面に固定されているので、支持杆の下端部の取付強度がより大となり、これが前後左右方向にぐらつくのが防止される。従って、支持杆に、オプション部材をより安定的に取り付けることができる。
【００１２】
（４）上記(３)項において、左右の脚体の対向面間に、前後１対のカバー板を備える配線ダクトを横架し、両カバー板の側端部の対向面と脚体の内側面とに結合されたスペーサ部材の内向水平片を内向部材とし、かつ前記配線ダクト内において、下向取付片を脚体の内側面に固定する。
【００１３】
このような構成とすると、内向部材に、左右の脚体間に横架された配線ダクトにおける前後のカバー板のスペーサ部材の内向水平片を使用しているので、内向取付片の取付強度が大きく、かつ専用の内向部材を別途製作して脚体の内側面に固定する必要がないので、コスト低減が図れる。
また、下向取付片、内向取付片、及びそれらの固定部は、配線ダクト内に位置し、外部に露呈しないので、体裁がよくなる。
（５）上記(１)〜(４)項のいずれかにおいて、下向取付片の上端に、外向水平片を連設し、この外向水平片を支持杆の下面に固定することにより、支持杆を、前記外向水平片を介して脚体の上面に立設する。
【００１４】
このような構成とすると、支持杆取付部材の外向水平片は、支持杆の下面と脚体上面とにより挟まれ、支持杆に加わる荷重により脚体の上面に押え付けられているので、支持杆取付部材自体のぐらつきも防止される。
また、支持杆は、外向水平片を介して、脚体の上面に立設されているので、支持杆に加わる垂直荷重を、支持杆取付部材を介さずに、脚体により直接受支することができ、重量のあるオプション部材であっても、支持杆に安定よく取付けることができる。
【発明の効果】
【００１５】
本発明によれば、支持杆の下端部に固定した支持杆取付部材における下向取付片の少なくとも前端部の上端を、天板の後端部の下面に当接または近接させた状態で、下向取付片を脚体の内側面に固定しているので、支持杆の下端部の取付強度が大きく、かつ支持杆が後方にぐらつくのが防止される。
従って、支持杆に、オプション部材を安定よく取り付けることができる。
【図面の簡単な説明】
【００１６】
【図１】本発明の一実施形態を適用したテーブルの斜視図である。
【図２】同じく、要部の拡大分解斜視図である。
【図３】同じく、要部の拡大横断平面図である。
【図４】図３のIV-IV線縦断正面図である。
【図５】同じく、V-V線縦断側面図である。
【図６】中間脚への支持杆取付部の縦断正面図である。
【発明を実施するための形態】
【００１７】
以下、本発明の実施形態を、図面に基づいて説明する。
図１は、本発明の一実施形態を備え、前後両側(以下、図１の手前斜め右方を前として説明する)において使用可能なテーブルの斜視図、図２は、図１の要部の拡大分解斜視図である。
【００１８】
テーブル１は、脚体であるパネル状の左右１対の側脚２、２、及び左右方向の中央部に配置され、脚柱３aの上端に前後方向の受支杆３bを固定してなる側面視Ｔ字状の中間脚３と、左右の側脚２と中間脚３の上面に、前後方向の中央部に左右方向の配線空間４が形成されるようにして取付けられた前後左右４枚の天板５と、左右の側脚２、２と中間脚３の上端部の対向面間に、上記配線空間４と連通するようにして横架された左右の配線ダクト６、６とを備えている。
【００１９】
左右の側脚２、２と中間脚３には、それぞれ、角管よりなる支持杆７が取付けられ、左右に対向する支持杆７、７の上端部の対向面同士は、横杆８、８により連結されている。  各支持杆７の上端部の前後両面に取付けられた前方及び後方を向くブラケット９、９には、オプション部材である左右２個のキャビネット１０、１０が、各支持杆７と横杆８により支持されるようにして取付けられている。
【００２０】
図３〜図５にも示すように、左右の配線ダクト６、６(左右同一構造に付き、左方のみを図示する)は、左右寸法が、側脚２と中間脚３との対向面間の寸法とほぼ等しい前後１対のカバー板１１、１１と、それらの中間部の対向面同士を連結しているスペーサ部材１２と、同じく両側端部の対向面同士を連結しているスペーサ部材１３、１３とからなっている。
【００２１】
前後のカバー板１１、１１における上下左右の端縁は、内向き対向状に折曲され、その折曲された左右の側片１１a、１１aは、それぞれ、側脚２の上端部の内側面と、中間脚３における脚柱３a及び受支杆３bの内側面とに設けためねじ(図示略)に、上下２個のねじ１４、１４を螺合することにより、側脚２と中間脚３の内面に固定されている。これにより、前後のカバー板１１、１１は、側脚２と中間脚３との上端部間に、上部の折曲片１１b が天板５の下面と当接または近接するようにして横架されている。
【００２２】
左右両側のスペーサ部材１３、１３は、垂直片１３aの上端に内向水平片１３bを連設することにより、縦断面形が正面視倒立Ｌ字状をなし、各垂直片１３a、１３a は、前後のカバー板１１における側片１１aの内側面に当接させた状態で、側片１１aを貫通する上下２個のねじ１５、１５により、側片１１aと共に側脚２と中間脚３の内側面に固着されている。なお、左右のスペーサ部材１３の内向水平片１３bは、後記する支持杆取付金具１７の内向取付片１７bを固定するための内向部材を兼ねている。
【００２３】
両側端部の支持杆７、７は、次のようにして、左右の側脚２に取付けられている。なお、両支持杆７の取付構造は、左右対称であるため、以下の説明は左方の支持杆７のみとする。
図２〜図５に示すように、角管よりなる支持杆７の下端を閉塞している底板１６の下面には、支持杆取付金具１７が固着されている。この支持杆取付金具１７は、前後寸法が支持杆７の前後寸法とほぼ等しく、かつ左右寸法が側脚２のそれとほぼ等しい矩形をなす外向水平片１７aと、この外向水平片１７aの内端縁より垂下する下向取付片１７bと、その下縁に連設された水平の内向取付片１７cとからなっている。下向取付片１７bと内向取付片１７cの前後寸法は、支持杆７の前後寸法、及び前後の天板５の対向面間に形成した配線空間４の前後の幅よりも大きく、かつ前後のカバー板１１の対向面間の寸法よりも若干小さい寸法とされている(図５参照)。また、下向取付片１７bの上下寸法は、側脚２の上面から、スペーサ部材１３における内向水平片１３bの上面までの寸法とほぼ同じ長さとしてある(図４参照)。
【００２４】
支持杆７を取付けるには、まず、支持杆７の底板１６に、支持杆取付金具１７の外向水平片１７aを、前後２個の皿ねじ１８、１８により固着する。
【００２５】
ついで、側脚２と中間脚３に天板５を取付ける前において、側脚２の前後方向の中央部上面に、支持杆取付金具１７の外向水平片１７aを、下向取付片１７bと内向取付片１７cとが配線ダクト６内に位置するようにして載置した後、下向取付片１７bを、前後のカバー板１１における側片１１aの内側面に当接させるとともに、内向取付片１７cを、スペーサ部材１３の内向水平片１３bの上面に載置する。
【００２６】
ついで、下向取付片１７bの前後両端部に穿設された通孔(図示略)に、上述したカバー板１１の側片１１a固定用のねじ１４、１４を内方より挿入し、側脚２の内側面に設けためねじ(図示略)に螺合して締め付けることにより、下向取付片１７bを、側片１１aを介して側脚２の上端部の内側面に固定する。この固定時において、下向取付片１７bの前後両側の上端は、前後のカバー板１１における上部の折曲片１１bの下面と当接または近接するようにしてある。
【００２７】
ついで、内向取付片１７cの上方より挿入した前後２個のねじ１９、１９を、スペーサ部材１３の内向水平片１３bの下面に溶接されたナット２０、２０に螺合して締め付ければ、支持杆７は、側脚２の前後方向の中央部上面に立設される。支持杆７を取付けたのち、前後の天板５を、側脚２と中間脚３の上面に、支持杆７を前後より挟むようにして取付けると、前後の天板５の対向部の下面が、支持杆取付金具１７における下向取付片１７bの前後両端部の上端と当接または近接するようになる。
【００２８】
中間脚３には、左右２本の支持杆７、７が、対向面を互いに当接または近接させて取付けられているが、図６に示すように、両支持杆７の取付構造は、上述した左側の支持杆７のそれと実質的に同一であるので、上記と同じ符号を付して、その詳細な説明を省略する。
【００２９】
以上説明したように、上記実施形態の支持杆の取付構造においては、支持杆取付金具１７の形状を、外向水平片１７aと、下向取付片１７bと、内向取付片１７cとからなるものとし、外向水平片１７aを支持杆７の下端に、下向取付片１７bを側脚２の内側面(中間脚３については、その内側面)に、内向取付片１７cを、側脚２と中間脚３間に横架された配線ダクト６のスペーサ部材１３の内向水平片１３bに、それぞれねじ止めしてあるので、支持杆７の下端部の取付強度が大きく、これが前後左右方向にぐらつくのが防止される。
【００３０】
また、下向取付片１７bと内向取付片１７cの前後寸法を、支持杆７の前後寸法よりも大とし、下向取付片１７bの前後の上端を、前後の天板５における対向部の下面に当接または近接させ、内向取付片１７cを、配線ダクト６におけるスペーサ部材１３の内向水平片１３bの上面に当接させてねじ止めしてあるので、万一ねじ１４、１９が緩んだとしても、支持杆７が前後方向にぐらつく恐れは小さい。
しかも、各支持杆取付金具１７の外向水平片１７aは、支持杆７の下面と、側脚２及び中間脚３の上面とにより挟まれ、支持杆７に加わる荷重により側脚２及び中間脚３の上面に押え付けられているので、支持杆取付金具１７自体のぐらつきも防止される。
【００３１】
さらに、支持杆７は、外向水平片１７aを介して、側脚２及び中間脚３の真上に立設されているので、支持杆７に加わる垂直荷重を、支持杆取付金具１７を介さずに、側脚２及び中間脚３により直接受支することができ、重量のあるキャビネット１０等のオプション部材を、左右複数の支持杆７に安定よく取付けることができる。
【００３２】
支持杆取付金具１７における下向取付片１７bと内向取付片１７c、及びこれらの固定部は、配線ダクト６内に位置して隠蔽されているので、体裁がよい。
【００３３】
本発明は、上記実施形態に限定されるものではない。
上記実施形態では、支持杆取付金具１７の外向水平片１７aを、支持杆７の下面に固定し、この外向水平片１７aを介して、支持杆７を側脚２及び中間脚３の上面に立設しているが、例えば下向取付片１７bの上端に上向片を連設し、この上向片を、側脚２及び中間脚３の上面に下面を当接させた支持杆７の内側面に、ねじにより固定することもある。
【００３４】
本発明は、前後の天板５のいずれか一方を省略し、前方からのみ使用可能とした片面タイプのテーブルに支持杆７を取付ける際にも適用することができる。この際には、支持杆７を、脚体の後端部上面に立設し、この支持杆７の前方において左右の脚体に天板を取付け、かつ配線ダクト６を、左右の脚体の後端部の対向面に横架し、さらに、支持杆取付金具１７の下向取付片１７bの前部側の上端を、天板の後端部の下面に当接または近接させればよい。このようにしても、支持杆７が後方にぐらつく恐れが小さくなる。
【符号の説明】
【００３５】
１  テーブル
２  側脚(脚体)
３  中間脚(脚体)
３a 脚柱
３b 受支杆
４  配線空間
５  天板
６  配線ダクト
７  支持杆
８  横杆
９  ブラケット
１０  キャビネット(オプション部材)
１１  カバー板
１１a 側片
１１b 折曲片
１２  スペーサ部材
１３  スペーサ部材
１３a 垂直片
１３b 内向水平片(内向部材)
１４  ねじ
１５  ねじ
１６  底板
１７  支持杆取付金具(支持杆取付部材)
１７a 外向水平片
１７b 下向取付片
１７c 内向取付片
１８  皿ねじ
１９  ねじ
２０  ナット
【図１】
2010187882.tif 000003
【図２】
2010187882.tif 000004
【図３】
2010187882.tif 000005
【図４】
2010187882.tif 000006
【図５】
2010187882.tif 000007
【図６】
2010187882.tif 000008